(57)【要約】【課題】読み取られた画像の内容に応じて原稿に対する後処理を区別しない場合に比にして、作業者による仕分け作業を効率化する。【解決手段】画像形成装置は、順次搬送される複数枚の原稿から画像を読み取る読取手段と、原稿から読み取られた画像が予め蓄積された画像と関連するかに応じ、読取手段による読み取り後の原稿の排出先を個別に切り替える切替手段とを有する。【選択図】図４
2019004218.tif 000002
【特許請求の範囲】
【請求項１】
順次搬送される複数枚の原稿から画像を読み取る読取手段と、
原稿から読み取られた画像が予め蓄積された画像と関連するかに応じ、前記読取手段による読み取り後の原稿の排出先を個別に切り替える切替手段と
を有する画像形成装置。
【請求項２】
前記切替手段は、予め蓄積された画像と関連する画像を有する原稿の排出先を、予め蓄積された画像と関連しない画像を有する原稿の排出先とは異なる排出先に切り替える、請求項１に記載の画像形成装置。
【請求項３】
前記切替手段は、原稿から読み取った画像と関連する画像が予め蓄積されている場合、原稿から読み取った画像を蓄積しない、請求項２に記載の画像形成装置。
【請求項４】
前記切替手段は、保存期間又は保存期限が経過している原稿の排出先を、保存期間又は保存期限が経過していない原稿の排出先とは異なる排出先に切り替える、請求項１に記載の画像形成装置。
【請求項５】
前記切替手段は、保存期間又は保存期限が経過している原稿が有する画像と関連する画像を削除する、請求項４に記載の画像形成装置。
【請求項６】
順次搬送される複数枚の原稿から画像を読み取る読取手段と、
原稿から読み取られた画像が予め蓄積された画像と関連するかに応じ、前記読取手段による読み取り後の原稿に識別情報を個別に付与する付与手段と、
を有する画像形成装置。
【請求項７】
前記付与手段は、予め蓄積された画像と関連する画像を有する原稿に、予め蓄積された画像と関連しない画像を有する原稿に付与する識別情報とは異なる識別情報を付与する、請求項６に記載の画像形成装置。
【請求項８】
前記付与手段は、原稿から読み取った画像と関連する画像が予め蓄積されている場合、原稿から読み取った画像を蓄積しない、請求項７に記載の画像形成装置。
【請求項９】
前記付与手段は、保存期間又は保存期限が経過している原稿に、保存期間又は保存期限が経過していない原稿に付与する識別情報とは異なる識別情報を付与する、請求項６に記載の画像形成装置。
【請求項１０】
前記付与手段は、保存期間又は保存期限が経過している原稿が有する画像と関連する画像を削除する、請求項９に記載の画像形成装置。
【請求項１１】
順次搬送される複数枚の原稿から画像を読み取る読取手段と、
原稿から読み取られた画像が予め蓄積された画像と関連するかに応じ、前記読取手段による読み取り後の原稿の排出先を個別に切り替える切替手段と
を有する画像読取装置。
【請求項１２】
順次搬送される複数枚の原稿から画像を読み取る読取手段と、
原稿から読み取られた画像が予め蓄積された画像と関連するかに応じ、前記読取手段による読み取り後の原稿に識別情報を個別に付与する付与手段と
を有する画像読取装置。
【請求項１３】
コンピュータに、
順次搬送される複数枚の原稿から画像を読み取らせる機能と、
原稿から読み取られた画像が予め蓄積された画像と関連するかに応じ、読み取り後の原稿の排出先を個別に切り替えさせる機能と
を実行させるためのプログラム。
【請求項１４】
コンピュータに、
順次搬送される複数枚の原稿から画像を読み取らせる機能と、
原稿から読み取られた画像が予め蓄積された画像と関連するかに応じ、読み取り後の原稿に識別情報を個別に付与する機能と
を実行させるためのプログラム。
【発明の詳細な説明】
【技術分野】
【０００１】
本発明は、画像形成装置、画像読取装置及びプログラムに関する。
【背景技術】
【０００２】
今日、請求書や領収書などの書類を電子的に保存する機会が増えている。
【先行技術文献】
【特許文献】
【０００３】
【特許文献１】特開２００９−１７３３５７号公報
【発明の概要】
【発明が解決しようとする課題】
【０００４】
これに伴い、電子化された書類を扱う現場では、二重登録の問題が懸念されている。例えば二重登録は、原本と複製物とが誤って電子化されること等で発生する。一般的には、定期的な確認作業（いわゆる棚卸作業）等を通じて二重登録の排除が図られているが、作業負担が大きい。このため、二重登録を排除するための作業負担の軽減が求められている。
また、原本である書類には保存期間が存在するが、その保存期間は書類の種類によって異なる。このため、保存期間を経過した書類を効率的に廃棄できる仕組みが必要とされる。
【０００５】
本発明は、読み取られた画像の内容に応じて原稿に対する後処理を区別しない場合に比にして、作業者による仕分け作業を効率化することを目的とする。
【課題を解決するための手段】
【０００６】
請求項１に記載の発明は、順次搬送される複数枚の原稿から画像を読み取る読取手段と、原稿から読み取られた画像が予め蓄積された画像と関連するかに応じ、前記読取手段による読み取り後の原稿の排出先を個別に切り替える切替手段とを有する画像形成装置である。
請求項２に記載の発明は、前記切替手段は、予め蓄積された画像と関連する画像を有する原稿の排出先を、予め蓄積された画像と関連しない画像を有する原稿の排出先とは異なる排出先に切り替える、請求項１に記載の画像形成装置である。
請求項３に記載の発明は、前記切替手段は、原稿から読み取った画像と関連する画像が予め蓄積されている場合、原稿から読み取った画像を蓄積しない、請求項２に記載の画像形成装置である。
請求項４に記載の発明は、前記切替手段は、保存期間又は保存期限が経過している原稿の排出先を、保存期間又は保存期限が経過していない原稿の排出先とは異なる排出先に切り替える、請求項１に記載の画像形成装置である。
請求項５に記載の発明は、前記切替手段は、保存期間又は保存期限が経過している原稿が有する画像と関連する画像を削除する、請求項４に記載の画像形成装置である。
請求項６に記載の発明は、順次搬送される複数枚の原稿から画像を読み取る読取手段と、原稿から読み取られた画像が予め蓄積された画像と関連するかに応じ、前記読取手段による読み取り後の原稿に識別情報を個別に付与する付与手段と、を有する画像形成装置である。
請求項７に記載の発明は、前記付与手段は、予め蓄積された画像と関連する画像を有する原稿に、予め蓄積された画像と関連しない画像を有する原稿に付与する識別情報とは異なる識別情報を付与する、請求項６に記載の画像形成装置である。
請求項８に記載の発明は、前記付与手段は、原稿から読み取った画像と関連する画像が予め蓄積されている場合、原稿から読み取った画像を蓄積しない、請求項７に記載の画像形成装置である。
請求項９に記載の発明は、前記付与手段は、保存期間又は保存期限が経過している原稿に、保存期間又は保存期限が経過していない原稿に付与する識別情報とは異なる識別情報を付与する、請求項６に記載の画像形成装置である。
請求項１０に記載の発明は、前記付与手段は、保存期間又は保存期限が経過している原稿が有する画像と関連する画像を削除する、請求項９に記載の画像形成装置である。
請求項１１に記載の発明は、順次搬送される複数枚の原稿から画像を読み取る読取手段と、原稿から読み取られた画像が予め蓄積された画像と関連するかに応じ、前記読取手段による読み取り後の原稿の排出先を個別に切り替える切替手段とを有する画像読取装置である。
請求項１２に記載の発明は、順次搬送される複数枚の原稿から画像を読み取る読取手段と、原稿から読み取られた画像が予め蓄積された画像と関連するかに応じ、前記読取手段による読み取り後の原稿に識別情報を個別に付与する付与手段とを有する画像読取装置である。
請求項１３に記載の発明は、コンピュータに、順次搬送される複数枚の原稿から画像を読み取らせる機能と、原稿から読み取られた画像が予め蓄積された画像と関連するかに応じ、読み取り後の原稿の排出先を個別に切り替えさせる機能とを実行させるためのプログラムである。
請求項１４に記載の発明は、コンピュータに、順次搬送される複数枚の原稿から画像を読み取らせる機能と、原稿から読み取られた画像が予め蓄積された画像と関連するかに応じ、読み取り後の原稿に識別情報を個別に付与する機能とを実行させるためのプログラムである。
【発明の効果】
【０００７】
請求項１記載の発明によれば、読み取られた画像の内容に応じて原稿に対する後処理を区別しない場合に比にして、作業者による仕分け作業を効率化できる。
請求項２記載の発明によれば、関連する画像が予め蓄積されているか否かに応じて原稿の排出先を区別しない場合に比して、原稿の仕分け作業を効率化できる。
請求項３記載の発明によれば、二重登録を回避できる。
請求項４記載の発明によれば、保存期間又は保存期限を経過した原稿の廃棄作業を効率化できる。
請求項５記載の発明によれば、原稿の廃棄に伴い記憶領域の空き容量を増やすことができる。
請求項６記載の発明によれば、読み取られた画像の内容に応じて原稿に対する後処理を区別しない場合に比にして、作業者による仕分け作業を効率化できる。
請求項７記載の発明によれば、関連する画像が予め蓄積されているか否かに応じて原稿に異なる識別情報を付与しない場合に比して、原稿の仕分け作業を効率化できる。
請求項８記載の発明によれば、二重登録を回避できる。
請求項９記載の発明によれば、保存期間又は保存期限を経過した原稿の廃棄作業を効率化できる。
請求項１０記載の発明によれば、原稿の廃棄に伴い記憶領域の空き容量を増やすことができる。
請求項１１記載の発明によれば、読み取られた画像の内容に応じて原稿に対する後処理を区別しない場合に比にして、作業者による仕分け作業を効率化できる。
請求項１２記載の発明によれば、読み取られた画像の内容に応じて原稿に対する後処理を区別しない場合に比にして、作業者による仕分け作業を効率化できる。
請求項１３記載の発明によれば、読み取られた画像の内容に応じて原稿に対する後処理を区別しない場合に比にして、作業者による仕分け作業を効率化できる。
請求項１４記載の発明によれば、読み取られた画像の内容に応じて原稿に対する後処理を区別しない場合に比にして、作業者による仕分け作業を効率化できる。
【図面の簡単な説明】
【０００８】
【図１】実施の形態１に係る画像形成システムの全体構成の一例を示す図である。
【図２】実施の形態１に係る画像形成装置の内部構造の一例を示す図である。
【図３】画像形成装置の機能ブロック構成例を説明する図である。
【図４】実施の形態１に係る画像読取ユニットの詳細構成例を説明する図である。
【図５】原稿搬送部の動作を制御する制御部の機能ブロック構成の一例を示す図である。
【図６】仕分けスキャン機能の実行手順の一例を示すフローチャートである。
【図７】読み取り対象とする原稿の一例を示す図である。
【図８】データベース装置に登録されたデータテーブルのデータ構造例を示す図である。
【図９】実施の形態２に係る画像読取ユニットの詳細構成例を説明する図である。
【図１０】実施の形態３に係る画像読取ユニットの詳細構成例を説明する図である。
【図１１】実施の形態４に係る画像形成システムの全体構成の一例を示す図である。
【図１２】本実施の形態に係る画像形成装置の機能ブロック構成例を説明する図である。
【図１３】実施の形態４に係る画像読取ユニットの詳細構成例を説明する図である。
【図１４】実施の形態５に係る画像読取ユニットの詳細構成例を説明する図である。
【図１５】実施の形態６に係る画像読取システムの全体構成の一例を示す図である。
【図１６】実施の形態６に係る画像読取装置の機能ブロック構成例を説明する図である。
【図１７】実施の形態６に係る画像読取装置を構成する画像読取部の他の構成例を説明する図である。
【図１８】実施の形態７に係る画像読取システムの全体構成の一例を示す図である。
【図１９】実施の形態７に係る画像読取装置の機能ブロック構成例を説明する図である。
【図２０】実施の形態７に係る画像読取装置を構成する画像読取部の他の構成例を説明する図である。
【発明を実施するための形態】
【０００９】
以下、添付図面を参照して、実施の形態について詳細に説明する。
【００１０】
＜実施の形態１＞
＜画像形成システムの全体構成＞
図１は、実施の形態１に係る画像形成システム１の全体構成の一例を示す図である。
画像形成システム１は、記録材（以下、代表して「用紙」と記す場合もある。）に画像を形成する画像形成装置１０と、画像形成装置１０によって取り込まれた画像データとその管理データを保存するデータベース装置２０とで構成されている。
画像形成装置１０とデータベース装置２０は通信手段を通じて接続されている。通信手段の一例には、ローカルエリアネットワーク（Local Area Network: LAN）、インターネット、ユニバーサルシリアルバス（Universal Serial Bus: USB）等が用いられる。
【００１１】
本実施の形態に係る画像形成装置１０は、複製物を生成するコピー機能、原稿の画像を読み取るスキャン機能、他機との間でファックス画像を受け渡しするファックス送受信機能、用紙に画像を記録する印刷機能を備えている。なお、コピー機能は、スキャン機能と印刷機能とを組み合わせることで実現される。
データベース装置２０は、大容量の記憶装置であり、例えば１台又は複数台のハードディスク装置やサーバ装置で構成される。
図１の場合、画像形成システム１は、１台の画像形成装置１０と１台のデータベース装置２０とで構成されているが、それぞれ複数台であってもよい。
また、画像形成システム１は、データベース装置２０に記憶されている情報を管理する不図示の管理サーバや管理端末を有していてもよい。
【００１２】
＜画像形成装置１０の構成＞
画像形成装置１０は、ユーザからの操作の受け付けやユーザに対する各種情報の提示に用いられるユーザインターフェース部１００と、原稿の画像を読み取る画像読取ユニット２００と、用紙上に画像を記録する画像形成ユニット３００とを有している。
ユーザインターフェース部１００は、ユーザによる操作や情報の確認が容易なように画像形成装置１０の筐体上部に配置されている。また、ユーザインターフェース部１００は、ユーザから見て、画像形成装置１０の筐体手前に配置されている。
【００１３】
図２は、実施の形態１に係る画像形成装置１０の内部構造の一例を示す図である。
画像読取ユニット２００は、画像形成装置１０の上部に配置され、画像形成ユニット３００は画像形成装置１０の下部に配置されている。
画像読取ユニット２００は、原稿から画像を読み取る画像読取部２１０と、画像読取部２１０に原稿を搬送する原稿搬送部２２０とを有している。
原稿搬送部２２０は、画像読取ユニット２００の上部に配置され、画像読取部２１０は、画像読取ユニット２００の下部に配置されている。
【００１４】
本実施の形態の場合、画像読取部２１０の筐体と画像形成ユニット３００の筐体とは一体化されている。
原稿搬送部２２０は、蝶番を用いて回転可能に画像読取部２１０の上面に取り付けられている。蝶番は、画像読取部２１０の奥側に取り付けられている。従って、原稿搬送部２２０は、画像形成装置１０（図２参照）に対して紙面手前側に位置するユーザによって上下方向に開閉することができる。
【００１５】
画像形成ユニット３００は、用紙Ｐに画像を形成する画像形成部３０１と、画像形成部３０１に対して用紙Ｐを供給する用紙供給部３０２と、画像形成部３０１にて画像が形成された用紙Ｐを排出する用紙排出部３０３と、画像形成部３０１において一方の面に画像が形成された用紙Ｐの表裏を反転させ、画像形成部３０１に再度搬送する反転搬送部３０４と、を備えている。
画像形成部３０１には、転写ベルトに沿うように、黒（Ｋ）、シアン（Ｃ）、マゼンタ（Ｍ）、イエロー（Ｙ）の各トナーに対応する現像ユニットが配置されている。
なお、画像形成ユニット３００が収容される筐体内部には、制御部４００と通信部５００も内蔵されている。制御部４００は、画像形成装置１０の全体動作の制御に用いられる。通信部５００は、外部装置との通信に用いられる回路である。
【００１６】
図３は、画像形成装置１０の機能ブロック構成例を説明する図である。
制御部４００は、ＭＰＵ（Micro Processing Unit）４０１と、ＲＯＭ（Read Only Memory）４０２と、ＲＡＭ（Random Access Memory）４０３と、画像データ等の記憶に用いられる記憶装置４０４と、画像データが表す画像に色補正や階調補正等の画像処理を加える画像処理部４０５とを備える。
【００１７】
ＭＰＵ４０１は、ＲＡＭ４０３を作業領域に使用してＲＯＭ４０２から読み出したファームウェアを実行し、各種の機能を提供する。ファームウェアは、不揮発性メモリであるＲＯＭ４０２に記憶されている。ＲＯＭ４０２には、データの書き換えが可能な半導体メモリの一種であるＥＥＰＲＯＭ（Electrically Erasable Programmable Read-Only Memory）を使用する。
記憶装置４０４は、ハードディスク装置や半導体メモリ等で構成され、画像読取部２１０で読み取った原稿の画像イメージや通信部５００を通じて受信した画像イメージの記憶に用いられる。
画像処理部４０５は、例えば専用のプロセッサや処理ボードとして構成され、色補正や階調補正等の画像処理を実行する。
【００１８】
ユーザインターフェース部１００は、操作画面等の表示に使用される表示部１０１と、ユーザの入力操作を受け付ける操作受付部１０２とを備えている。
表示部１０１は、例えば液晶ディスプレイパネルや有機ＥＬ（Electro Luminescence）ディスプレイパネル等で構成されている。
操作受付部１０２は、ユーザによる操作入力を受け付けるボタンやタッチパネル等で構成されている。
【００１９】
本実施の形態における制御部４００は、ファームウェアの実行を通じて、コピー機能、スキャン機能、ファックス送受信機能、印刷機能を実現する。
例えばコピー機能の場合、制御部４００は、画像読取ユニット２００によって読み取られた原稿の画像データを画像形成ユニット３００に与え、原稿の画像を用紙Ｐに形成する。
スキャン機能の場合、制御部４００は、画像読取ユニット２００によって読み取られた原稿の画像データを記憶装置４０４に記憶する、又は、通信部５００を通じてデータベース装置２０に記憶する。
【００２０】
ファックス送受信機能の場合、制御部４００は、画像読取ユニット２００を用いて読み取った原稿の画像データを送信し、又は、受信した画像データを記憶装置４０４に記憶し、もしくは、受信した画像データを画像形成ユニット３００に与えて対応する画像を用紙Ｐに形成する。
印刷機能の場合、制御部４００は、不図示のコンピュータ等から印刷のジョブを受信し、受信した画像を用紙Ｐに形成する。すなわち、制御部４００は、受信した印刷ジョブに含まれる画像データを画像形成ユニット３００に与え、画像を用紙Ｐ上に形成する。
【００２１】
＜画像読取ユニットの詳細構成＞
図４は、実施の形態１に係る画像読取ユニット２００の詳細構成例を説明する図である。
画像読取部２１０の上面位置には、用途が異なる２種類のプラテンガラスが配置されている。
プラテンガラス２１１は、自動搬送される原稿の画像の読み取り用であり、プラテンガラス２１２は、ガラス面に置かれた原稿の画像の読み取り用である。
ここで、原稿搬送部２２０は、プラテンガラス２１１上に原稿を一定速度で搬送する原稿自動送り装置（Auto Document Feeder: ADF）として機能すると共に、プラテンガラス２１２に置かれた原稿を押圧する押圧部材として機能する。
【００２２】
画像読取部２１０には、原稿から画像を読み取る走査光学系２１３が設けられている。走査光学系２１３は、原稿を照明する照明ランプ２１４と、照明ランプ２１４によって照明された原稿の反射光像を反射するフルレートミラー２１５と、フルレートミラー２１５からの光像を折り返すように反射する２枚のハーフレートミラー２１６及び２１７とで構成されている。
なお、ハーフレートミラー２１６及び２１７による反射後の光像は、結像レンズ２１８によって縮小され、画像読取素子２１９上に結像される。画像読取素子２１９には例えばＣＭＯＳ（Complementary Metal Oxide Semiconductor）センサやＣＣＤ（Charge Coupled Device）センサ等のリニアイメージセンサが用いられる。
ここでの画像読取部２１０は、読取手段の一例である。
【００２３】
原稿搬送部２２０によって一定の速度で搬送される原稿の画像をプラテンガラス２１１で読み取る場合、フルレートミラー２１５は、プラテンガラス２１１の直下に位置決めされた状態を維持する。すなわち、走査光学系２１３は停止している。
一方、プラテンガラス２１２のガラス面に置かれた原稿の画像を読み取る場合、走査光学系２１３は、プラテンガラス２１２の下面に沿うように移動し、原稿の画像を読み取る。
原稿搬送部２２０は、画像を読み取る前の原稿を収容する供給トレイ２２１と、画像を読み取られた原稿が最終的に排出される複数の排出トレイ（排出トレイ２２２及び２２３）とを有している。
本実施の形態の場合、排出トレイ２２２及び２２３には、それぞれ異なる役割が与えられている。役割の詳細については後述する。
【００２４】
供給トレイ２２１にセットされた複数枚の原稿は、ローラ対２２４によって上段側から順番に引き出される。ここでのローラ対２２４は、原稿を両面から挟みつけるように配置された一対のローラで構成される。ローラ対２２４は、供給トレイ２２１から引き出された原稿を１枚ずつ順番に下流方向に搬送する。
ローラ対２２４によって引き出された原稿は、略円弧状の搬送経路Ｒに沿って順次搬送される。この搬送は、搬送経路Ｒに沿って配置された複数のローラ対２２５によって実現される。ローラ対２２５も、原稿を両面から挟みつけるように配置された一対のローラで構成される。後述する他のローラ対についても同様である。
因みに、搬送経路Ｒの一部がプラテンガラス２１１と交差しており、搬送経路Ｒに沿った原稿が搬送される過程で原稿の画像が読み取られる。
【００２５】
プラテンガラス２１１の位置を通過した原稿は、ローラ対２２６を通じて更に下流方向に搬送され、その後、切替ゲート２２７によって搬送方向が切り替えられる。
搬送方向の一方は、搬送中の原稿の一時的な収容場所として使用される一時収容部２２８につながる搬送経路Ｗ１である。
搬送方向の他方は、前述した排出トレイ２２２及び２２３につながる搬送経路Ｗ２である。
【００２６】
本実施の形態の場合、一時収容部２２８に原稿が搬送されるのは、原稿の画像の内容に基づいて原稿の排出先を切り替える仕分けスキャン機能を用いる場合である。
従って、コピー機能やファックス送信機能を用いる場合やスキャン機能を用いる場合でも前述した仕分けスキャン機能を用いない場合には、切替ゲート２２７は、原稿を搬送経路Ｗ２に搬送する。
【００２７】
仕分けスキャン機能を用いる場合、切替ゲート２２７に対して搬送経路の下流側に位置するローラ対２２９は、切替ゲート２２７から搬送されてくる原稿の後端が通過する前に回転を停止する。従って、ローラ対２２９の回転が停止したとき、原稿の後端は、ローラ対２２９とＵターン経路Ｕとの間に位置する。
Ｕターン経路Ｕは、一時収容部２２８から逆向きに引き出される原稿を、切替ゲート２２７を用いることなく搬送経路Ｗ１から搬送経路Ｗ２の下流に設けられる搬送経路Ｗ３に直接案内できるように設けられている。
搬送経路Ｗ３の下流には、切替ゲート２３０が更に用意されている。切替ゲート２３０は、排出トレイ２２２につながる搬送経路Ｗ４と、排出トレイ２２３につながる搬送経路Ｗ５との間で原稿の搬送方向を個別に切り替えるために用いられる。
【００２８】
なお、搬送経路Ｗ４上にはローラ対２３１が配置されており、ローラ対２３１によって原稿は排出トレイ２２２に排出される。一方、搬送経路Ｗ５にはローラ対２３２及び２３３が配置されており、下流側に位置するローラ対２３３によって原稿は排出トレイ２２３に排出される。
切替ゲート２２７と切替ゲート２３０の切り替え動作は、制御部４００によって制御される。切替ゲート２２７と切替ゲート２３０は切替手段の一例である。
【００２９】
図５は、原稿搬送部２２０の動作を制御する制御部４００の機能ブロック構成の一例を示す図である。
図５に示す機能ブロックは、制御部４００によるプログラムの実行を通じて実現される。
制御部４００は、原稿から読み取った画像データとデータベース装置２０に登録されている画像データとを照合し、新規の読み取り画像については文字認識技術を用いて抽出された情報をデータベース装置２０に登録する照合／登録部４５１と、照合結果に基づいて排出先を決定する排出先決定部４５２として動作する。
【００３０】
照合／登録部４５１は、読み取ったラスター画像からノイズ成分を除去した後、例えば以下に示す特徴量１〜５を計算する。
・特徴量１：色相や彩度のヒストグラム
・特徴量２：黒点数
・特徴量３：濃度傾斜
・特徴量４：表構造
・特徴量５：文字（文字認識の結果）
【００３１】
なお、計算する特徴量は前述した特徴量１〜５に限らず、画像の特徴的な物理量を表現する他の情報を含んでもよい。
また、計算する特徴量の組み合わせも前述した５種類の組み合わせに限らない。
また、計算する特徴量の数も５つに限らない。
照合／登録部４５１は、ノイズ成分を除去した後のラスター画像をベクトル化し、ベクトルの長さ、太さ、方向等をベクトル情報として計算する。
【００３２】
照合／登録部４５１は、前述した特徴量やベクトル情報を使用し、データベース装置２０に予め蓄積されている画像との間で一致度を計算する。一致度の計算には、例えば以下に示す計算式を使用する。
一致度＝ベクトル情報の一致率×0．3＋文字認識結果の一致率 ×0．6＋表構造の一致率×0．2＋ヒストグラムの一致率×0．1
ここでの重み付け係数の値は一例である。
なお、ベクトル情報の一致率、文字認識結果の一致率、表構造の一致率、ヒストグラムの一致率は、いずれも既知の技術を用いて計算可能である。
一致度は、類似度として計算可能である。例えばベクトル情報の一致率は、コサイン類似度、ピアソンの類似度等を用いて計算することができる。
【００３３】
照合／登録部４５１は、算出された一致度を判定閾値と比較し、読み取った画像が登録済みと評価可能か否かを判定する。本実施の形態の場合、照合／登録部４５１は、算出された一致度が判定閾値より大きい場合、読み込んだ原稿の画像は登録済みであると判定し、算出された一致度が判定閾値以下の場合、読み込んだ原稿の画像は新規であると判定する。
本実施の形態では、データベース装置２０に蓄積されている画像との間で計算される一致度が判定閾値より大きくなる読み込み中の画像を、蓄積されている画像に関連する画像という。
【００３４】
読み取った原稿が新規の場合、照合／登録部４５１は、読み取った画像ファイル（例えばＰＤＦ（Portable Document Format）ファイル）や画像から読み取った情報をデータベース装置２０に登録する。
読み取った情報（一部を含む）は、画像ファイルの属性情報として埋め込んでもよいし、ファイル名に付与してもよい。また、読み取った情報と画像ファイルとを、データベース装置２０上で紐付けてもよい。
ここでの情報は、文字列の意味内容を既知の文脈解析技術等を用いて特定してもよいし、原稿から読み取られた枠などのレイアウト情報について予め用意されているテンプレートとの対比により、読み取った文字列の意味内容を特定してもよい。
【００３５】
読み取った原稿が登録済みの場合、照合／登録部４５１は、データベース装置２０から該当する原稿の保存期間又は保存期限に関する情報を読み出し、原稿の読み取りを行った時点で保存期間又は保存期限を経過しているか否かを判定する。
保存期間は例えば年数で与えられ、保存期限は基準日と保存期間によって定まる特定の日時で与えられる。
照合／登録部４５１による照合結果や判定結果は、排出先決定部４５２に出力される。
保存期間又は保存期限が経過している場合、照合／登録部４５１は、データベース装置２０から対応する画像ファイルを削除し、空き容量を増やす。
【００３６】
排出先決定部４５２は、照合結果に応じて切替ゲート２３０を制御し、原稿の排出先を切り替える。例えば新規の原稿は、排出先決定部４５２による制御により排出トレイ２２２に排出され、登録済みの原稿は、排出先決定部４５２による制御により排出トレイ２２３に排出される。
また、排出先決定部４５２は、判定結果に応じて切替ゲート２３０を制御し、原稿の排出先を切り替える。例えば保存期間又は保存期限が経過していない原稿は、排出先決定部４５２による制御により排出トレイ２２２に排出され、保存期間又は保存期限を経過した原稿は、排出先決定部４５２による制御により排出トレイ２２３に排出される。
ここでの照合／登録部４５１及び排出先決定部４５２は、切替手段の一例である。
【００３７】
＜処理動作＞
以下では、排出先の切り替えを伴う仕分けスキャン機能を実行する場合における制御部４００の処理動作を説明する。この処理動作はプログラムの実行を通じて実現される。
図６は、仕分けスキャン機能の実行手順の一例を示すフローチャートである。
制御部４００は、供給トレイ２２１にセットされた原稿を搬送経路Ｒに沿って搬送し、画像読取部２１０を用いて原稿の画像を取得する（ステップ１０１）。
図７は、読み取り対象とする原稿６００の一例を示す図である。
原稿６００は、ＸＹＺ経理部がＡＢＣ株式会社に発行した請求書であり、請求額が５０万円、支払期限が平成２８年３月６日、振込先口座の番号がＡ銀行Ｂ支店の１２３４５６７であることが示されている。
また、原稿６００には、請求書の整理番号が１７０２２４であること、請求内容の内訳、バーコードなども記載されている。
【００３８】
図６の説明に戻る。続いて、制御部４００は、取得した画像からノイズ成分を除去する（ステップ１０２）。
その後、制御部４００は、取得した画像を処理して特徴量を算出する（ステップ１０３）。本実施の形態では、前述した特徴量１〜５を算出する。
続いて、制御部４００は、取り込んだ原稿は登録済みか否かを判定する（ステップ１０４）。ここでの判定は、前述したように、算出された一致度と判定閾値との比較により実行される。
ステップ１０４で否定結果が得られた場合（すなわち、新規登録の場合）、制御部４００は、原稿の意味内容を認識して画像ファイルと共にデータベースに登録する（ステップ１０５、１０６）。
【００３９】
図８は、データベース装置２０に登録されたデータテーブル７００のデータ構造例を示す図である。
データテーブル７００は、原稿が請求書の場合の例であり、通し番号、請求元、請求先、整理番号、金額、納付期限、金融機関、保存期限、廃棄の項目で構成されている。
なお、原稿の種別には、請求書の他に、見積書、契約書、経理書類等があり、種別に応じたデータテーブルがデータベース装置２０に記憶される。データテーブルの構造例は、対応する種別に応じた項目で構成される。
図８の例では、廃棄処理されていないため廃棄の項目に「未」が記録されている。
【００４０】
本実施の形態の場合、前述したステップ１０４〜ステップ１０６の処理は、原稿の後端がプラテンガラス２１１を通過した後、一時収容部２２８から引き出された原稿が切替ゲート２３０に搬送されるまでの間に実行される。
従って、原稿の後端がプラテンガラス２１１を通過してから切替ゲート２３０に搬送されるまでの時間は、切替ゲート２３０の切り替えに必要な信号処理の時間よりも長い必要がある。
図６の説明に戻る。データベース装置２０への登録処理が終了すると、制御部４００は、切替ゲート２３０に搬入される原稿の排出先を排出トレイ２２３に設定する（ステップ１０７）。
【００４１】
一方、ステップ１０４で肯定結果が得られた場合（すなわち、登録済みの場合）、制御部４００は、データベース装置２０から該当する原稿の保存期限を読み出し、現在日時が保存期限を経過しているか否かを判定する（ステップ１０８）。
因みに、保存期限の計算に用いられる保存期間は法令によって定められている場合もあれば、各事業体や団体等で定められている場合もある。例えば経理書類の保存期間は７年、共同研究契約書の保存期間は５年、見積書の保存期間は３年等である。
ステップ１０８の判定には、保存期間を用いてもよい。
【００４２】
ステップ１０８で否定結果が得られた場合（すなわち、保存期限を経過していない場合）、制御部４００は、ステップ１０７に進み、切替ゲート２３０に搬入される原稿の排出先を排出トレイ２２３に設定する。
一方、ステップ１０８で肯定結果が得られた場合（すなわち、保存期限を経過している場合）、制御部４００は、切替ゲート２３０に搬入される原稿の排出先を排出トレイ２２２に設定する（ステップ１０９）。そして、本処理は終了する。
【００４３】
＜実勢の形態１の効果＞
本実施の形態に係る画像形成装置１０を用いれば、（１）新規の原稿であるか、（２）登録済みであっても保存期間内の原稿であるか、（３）登録済みであっても保存期間が経過した原稿であるかによって排出先を切り替えることができる。
すなわち、本実施の形態に係る画像形成装置１０の場合には、読み取られた画像の内容に応じて原稿を排出するトレイを区別できるため、作業者による仕分け作業を効率化できる。
例えば排出トレイ２２３に排出された原稿は保存対象であることが一目で分かり、排出トレイ２２２に排出された原稿は廃棄対象であることが一目で分かる。
【００４４】
また、本実施の形態に係る画像形成装置１０を用いれば、登録済みの原稿については登録処理（ステップ１０５及び１０６）をスキップできるため、原稿の二重登録による弊害を低減することができる。
なお、データベース装置２０に保存されているデータベースを不図示の管理サーバを用いて管理してもよい。この管理サーバには、予め定めた規則に基づいて納付期限や保存期限の確認をユーザに通知する機能を設けてもよい。
【００４５】
なお、本実施の形態では、原稿が登録済みの場合（ステップ１０４で肯定結果の場合）に更に保存期限が経過しているか否かを判定しているが、排出先の切り替えの目的をユーザがユーザインターフェース部１００を用いて設定できるようにしてもよい。例えば仕分けの目的を原稿が登録済みか否かと設定してもよいし、保存期限が経過かしたか否かと設定してもよいし、納付期限が１週間以内か否かと設定しもよいし、特定の請求先か否かと設定してもよい。
このように、排出先の切り替えの目的を１つに特定する場合、排出先が排出トレイ２２２か排出トレイ２２３かによって、仕分け後の原稿の扱いを迷わずに済む。
【００４６】
前述の実施の形態においては、排出トレイ２２２に保存期限を経過した原稿を排出し、排出トレイ２２３に保存期限内の原稿を排出しているが、照合結果や判定結果に応じた排出先の関係は、ユーザインターフェース部１００を通じてユーザが指定できるようにしてもよい。
排出トレイ２２２及び２２３の役割をユーザが指定できることにより、排出された原稿の取り扱いに誤りが生じ難くなる。
【００４７】
＜実施の形態２＞
図９は、実施の形態２に係る画像読取ユニット２００Ａの詳細構成例を説明する図である。図９には、図４との対応部分に対応する符号を付している。
画像読取ユニット２００Ａのうち本実施の形態に特有の構成部分は原稿搬送部２２０Ａである。
原稿搬送部２２０Ａに特徴的な構成の１つは、排出トレイ２２２と排出トレイ２２３が原稿搬送部２２０Ａの筐体の外部に配置される点である。
原稿搬送部２２０Ａの他の特徴的な構成は、搬送経路上に一時収容部２２８と、Ｕターン経路Ｕと、切替ゲート２２７を実施の形態１の場合のように用いない点である。
【００４８】
ただし、原稿搬送部２２０Ａの場合、プラテンガラス２１１から切替ゲート２３０までの長さが仕分け対象とする原稿の搬送経路に沿った方向の長さよりも長く、かつ、プラテンガラス２１１を経過した原稿が切替ゲート２３０に搬送されるまでの時間が照合処理や判定処理に必要な処理時間より長いことが必要となる。
本実施の形態に係る原稿搬送部２２０Ａを用いれば、実施の形態１で説明した作用効果を、よりシンプルな構造によって実現することができる。
【００４９】
＜実施の形態３＞
図１０は、実施の形態３に係る画像読取ユニット２００Ｂの詳細構成例を説明する図である。図１０には、図４との対応部分に対応する符号を付している。
画像読取ユニット２００Ｂのうち本実施の形態に特有の構成部分は原稿搬送部２２０Ｂである。
原稿搬送部２２０Ｂに特徴的な構成の１つは、一時収容部２２８を排出トレイ２２２と排出トレイ２２３の間の空間に配置する点である。
原稿搬送部２２０Ｂの他の特徴的な構成は、搬送経路上に切替ゲート２３０を用いない点である。この実施の形態の場合、一時収容部２２８の前段に設けるローラ対２２９を排出先の切り替えに使用する。
【００５０】
仕分けスキャン機能を実行する場合、原稿搬送部２２０Ｂも、切替ゲート２２７の後方に配置されたローラ対２２９を原稿の後端が通過する前に回転を停止する。本実施の形態の場合、ローラ対２２９の回転を停止している間に照合処理や判定処理を実行し、その結果を得る。
例えば新規の登録の場合や保存期限を経過していない場合、本実施の形態における制御部４００は、プラテンガラス２１１を通過した原稿をローラ対２２９に搬入したときと同じ方向にローラ対２２９を回転駆動させ、一時収容部２２８に収容していた原稿を排出トレイ２２３に排出する。
【００５１】
一方、保存期限を経過していた場合、本実施の形態における制御部４００は、プラテンガラス２１１を通過した原稿をローラ対２２９に搬入したときとは逆向きにローラ対２２９を回転駆動させる。
その後、制御部４００は、一時収容部２２８から逆方向に引き出された原稿を、Ｕターン経路Ｕ、搬送経路Ｗ３、ローラ対２３１の順に搬送し、排出トレイ２２２へと排出する。
本実施の形態に係る原稿搬送部２２０Ｂを用いれば、実施の形態１で説明した作用効果を、よりシンプルな構造によって実現することができる。
【００５２】
＜実施の形態４＞
図１１は、実施の形態４に係る画像形成システム１Ａの全体構成の一例を示す図である。
図１１には図１との対応部分に対応する符号を付して示している。
画像形成システム１Ａに特徴的な構成は、画像形成装置１０Ｃにおける画像読取ユニット２００Ｃの構成である。
【００５３】
図１２は、本実施の形態に係る画像形成装置１０Ｃの機能ブロック構成例を説明する図である。
図１２には図３との対応部分に対応する符号を付して示している。
【００５４】
図１３は、実施の形態４に係る画像読取ユニット２００Ｃの詳細構成例を説明する図である。
図１３には図４との対応部分に対応する符号を付して示している。
原稿搬送部２２０Ｃの特徴的な構成の１つは、照合結果や判定結果によらず共通の搬送経路（ローラ対２４１、２４２、２４３）を使用して排出トレイ２４０に排出する点である。
図１３の場合、排出トレイ２４０は、画像読取ユニット２００の筐体の外側に取り付けられている。
【００５５】
原稿搬送部２２０Ｃの他の特徴的な構成は、搬送経路上に識別情報付与部２４４を配置し、照合結果や判定結果に応じた識別情報を搬送中の原稿に付与する点である。識別情報付与部２４４は付与手段の一例である。
本実施の形態の場合、プラテンガラス２１１から識別情報付与部２４４までの長さが仕分け対象とする原稿の搬送経路に沿った方向の長さよりも長く、かつ、プラテンガラス２１１を通過した原稿の後端（正確には識別情報の付与に必要な長さだけ後端よりも前方側の位置）が識別情報付与部２４４を通過するまでの時間が、照合処理や判定処理に必要な処理時間より長いことである。
【００５６】
ここでの識別情報付与部２４４には、例えば照合結果や判定結果に応じて原稿に穴をあける機構（いわゆるパンチ）を使用することができる。この場合、識別情報付与部２４４は、形成される穴の位置、寸法、形状、パターン（複数の穴の組み合わせ形状）を、照合結果や判定結果、又はそれらの組み合わせに応じて変更できるものとする。
【００５７】
また、識別情報付与部２４４には、例えば照合結果や判定結果に応じて原稿に柄、模様、マーク等を付与する機構（いわゆるスタンプ）を使用することができる。この場合、識別情報付与部２４４は、柄などを付与する位置、寸法、形状、パターン（複数の柄などの組み合わせ形状）を、照合結果や判定結果、又はそれらの組み合わせに応じて変更できるものとする。
【００５８】
また、識別情報付与部２４４には、例えば照合結果や判定結果に応じて原稿の一部を変形（例えば折り曲げ加工やエンボス加工）する機構を使用することができる。この場合、識別情報付与部２４４は、変形の態様を、照合結果や判定結果、又はそれらの組み合わせに応じて変更できるものとする。
なお、識別情報付与部２４４は、廃棄対象とする原稿には情報（穴、柄、変形等）を付与し、保存対象とする原稿には情報を付与しない制御を採用してもよい。廃棄対象とする原稿であれば情報を付与しても以後の利用に差し支えないためである。
【００５９】
本実施の形態の場合、切替ゲート２２７（図４参照）、切替ゲート２３０（図４参照）、一時収容部２２８（図４参照）が不要であるので、実施の形態１で説明した作用効果を、よりシンプルな構造によって実現することができる。
【００６０】
＜実施の形態５＞
本実施の形態でも、照合結果や判定結果に応じた識別情報を原稿に付与する場合について説明する。
図１４は、実施の形態５に係る画像読取ユニット２００Ｄの詳細構成例を説明する図である。
図１４には図４との対応部分に対応する符号を付して示している。
画像読取ユニット２００Ｄのうち本実施の形態に特有の構成部分は原稿搬送部２２０Ｄである。
原稿搬送部２２０Ｄに特徴的な構成の１つは、排出トレイ２４０が原稿搬送部２２０Ｄの筐体内に配置されている点である。
原稿搬送部２２０Ｄの他の特徴的な構成は、搬送経路上に一時収容部２２８と、Ｕターン経路Ｕと、切替ゲート２２７を配置する点である。
【００６１】
本実施の形態に係る原稿搬送部２２０Ｄにおいて、仕分けスキャン機能を用いる場合、制御部４００は、プラテンガラス２１１上を通過した原稿を、切替ゲート２２７を用いて一時収容部２２８に一時的に収容する。
その後、制御部４００は、一時収容部２２８から原稿を引き出すと共に、Ｕターン経路Ｕを介して識別情報付与部２４４に搬送する。
本実施の形態の場合、プラテンガラス２１１を通過した原稿の後端（正確には識別情報の付与に必要な長さだけ後端よりも前方側の位置）が識別情報付与部２４４を通過するまでの時間が、照合処理や判定処理に要する時間より大きければよい。
識別情報付与部２４４を通過する原稿には、照合結果や判定結果に応じた識別情報が付与される。
本実施の形態に係る原稿搬送部２２０Ｄを用いれば、実施の形態１で説明した作用効果を、よりシンプルな構造によって実現することができる。
【００６２】
＜実施の形態６＞
図１５は、実施の形態６に係る画像読取システム１Ｂの全体構成の一例を示す図である。
図１５には図１との対応部分に対応する符号を付して示している。
画像読取システム１Ｂの特徴は、画像読取装置３０に画像形成ユニットが設けられていない点である。本実施の形態の場合、画像読取装置３０は、ユーザインターフェース部１００と画像読取ユニット２００Ｅとで構成される。
【００６３】
図１６は、実施の形態６に係る画像読取装置３０の機能ブロック構成例を説明する図である。
図１６には図３との対応部分に対応する符号を付して示している。
図１６に示すように、画像読取装置３０に特有な構成部分は画像読取ユニット２００Ｅである。
もっとも、画像読取ユニット２００Ｅの構成は、前述した実施の形態１における画像読取ユニット２００（図３参照）でもよいし、実施の形態２における画像読取ユニット２００Ａ（図９参照）でもよいし、実施の形態３における画像読取ユニット２００Ｂ（図１０参照）でもよい。
【００６４】
図１７は、実施の形態６に係る画像読取装置３０を構成する画像読取部２２０Ｅの他の構成例を説明する図である。
図１７に示す画像読取装置３０の場合、筐体の側面部分に供給トレイ６０１と、２つの排出トレイ（排出トレイ６０２と排出トレイ６０３）とが取り付けられている。
図１７に示す原稿搬送部２２０Ｅは、原稿の搬送に用いられる複数個のローラ対（６１１、６１２、６１４、６１５、６１７、６１８、６２０、６２１、６２２、６２３、６２４、６２５）と、原稿の画像を読み取る画像読取素子６１３と、原稿の搬送向きをＵターンさせるガイド部材６１６と、原稿の搬送経路を切り替える切替ゲート６１９とで構成される。
【００６５】
ここで、供給トレイ６０１にセットされた複数枚の原稿は、ローラ対６１１によって上段側から順番に引き出され、下流側に位置するローラ対６２２に搬送される。
ローラ対６１１は、供給トレイ６０１から引き出した原稿を１枚ずつ下流方向に搬送する。
【００６６】
ローラ対６１１の下流側に位置するローラ対６１２は、原稿を更に下流に搬送する。
ローラ対６１２の下流には、画像読取素子６１３が搬送経路に対面するように配置されている。
画像読取素子６１３は、搬送経路の読み取り面（図１７では上面）に配置されている。画像読取素子６１３には、例えばＣＭＯＳ（Complementary Metal Oxide Semiconductor）センサやＣＣＤ（Charge Coupled Device）センサ等のリニアイメージセンサが用いられる。
ここでの画像読取素子６１３は、画像読取部２１０（図１６）に対応する。
【００６７】
画像読取素子６１３の幅（紙面に対して奥方向への長さ）は、搬送される原稿の幅（例えばＡ４用紙の短い辺の長さ）よりも長い。このため、原稿を一方向に搬送することにより、原稿の画像を読み取ることができる。
画像読取素子６１３を通過した原稿は、搬送経路に沿ってローラ対６１４、６１５へと順番に搬送され、その後、概略半円形状の断面を有するガイド部材６１６の表面に沿ってＵターンされる。
Ｕターン後の原稿は、ローラ対６１７、６１８へと順番に案内され、その後、切替ゲート６１９により搬送方向を切り替えられる。
【００６８】
ここで、画像読取素子６１３から切替ゲート６１９までの搬送経路長は原稿の長さ（搬送方向の長さ）より長く、かつ、その搬送に要する時間は、照合処理や判定処理に必要な処理時間以上である。
本実施の形態の場合、保存期限を経過している原稿は、ローラ対６２０、６２１を順番に経て、排出トレイ６０２に排出される。
一方、保存期限を経過していない原稿（新規登録の原稿を含む）は、ローラ対６２２、６２３、６２４、６２５を順番に経て、排出トレイ６０３に排出される。
本実施の形態に係る画像読取装置３０を用いても、実施の形態１で説明した作用効果を実現することができる。
【００６９】
＜実施の形態７＞
図１８は、実施の形態７に係る画像読取システム１Ｃの全体構成の一例を示す図である。
図１８には図１５との対応部分に対応する符号を付して示している。
画像読取システム１Ｃを構成する画像読取装置３０Ａは、ユーザインターフェース部１００と画像読取ユニット２００Ｆとで構成される。
【００７０】
図１９は、実施の形態７に係る画像読取装置３０Ａの機能ブロック構成例を説明する図である。
図１９には図１６との対応部分に対応する符号を付して示している。
図１９に示すように、画像読取装置３０Ａに特有な構成部分は画像読取ユニット２００Ｆである。
もっとも、画像読取ユニット２００Ｆの構成は、前述した実施の形態４における画像読取ユニット２００Ｃ（図１３参照）でもよいし、実施の形態５における画像読取ユニット２００Ｄ（図１４参照）でもよい。
【００７１】
図２０は、実施の形態７に係る画像読取装置３０Ａを構成する画像読取部２２０Ｆの他の構成例を説明する図である。
図２０には図１７との対応部分に対応する符号を付して示す。
図２０に示す画像読取装置３０Ａの場合、筐体の側面部分に供給トレイ６０１と、２つの排出トレイ（排出トレイ６０２と排出トレイ６０３）とが取り付けられている。
図２０に示す原稿搬送部２２０Ｆは、原稿の搬送に用いられる複数個のローラ対（６１１、６１２、６１４、６３３、６３４、６３５、６３６、６３７、６３８）と、原稿の画像を読み取る画像読取素子６１３と、原稿の搬送経路を切り替える切替ゲート６３１と、識別情報付与部６３２で構成される。
【００７２】
供給トレイ６０１にセットされた複数枚の原稿は、ローラ対６１１によって上段側から順番に引き出され、下流側に位置するローラ対６１２に搬送される。ローラ対６１１は、供給トレイ６０１から引き出した原稿を１枚ずつ下流方向に搬送する。
【００７３】
下流側に位置するローラ対６１２は、原稿を更に下流方向に搬送する。ローラ対６１２の下流側の搬送経路上には、画像読取素子６１３が配置されている。画像読取素子６１３は、搬送経路の読み取り面側（図２０では上面側）に配置されている。
【００７４】
この実施の形態の場合も、画像読取素子６１３の幅（紙面に対して奥方向への長さ）は、搬送される原稿の幅（例えばＡ４用紙の短い辺の長さ）よりも長い。このため、一方向に搬送することにより原稿の画像を読み取ることができる。
画像読取素子６１３を通過した原稿は、搬送経路に沿ってローラ対６１４を経て切替ゲート６３１に案内される。
ここで、画像読取素子６１３から切替ゲート６３１までの搬送経路長は原稿の長さ（搬送方向の長さ）より長く、かつ、その搬送に要する時間は、照合処理や判定処理に必要な処理時間以上である。
【００７５】
本実施の形態の場合、保存期限を経過している原稿は、識別情報付与部６３２が配置されている搬送経路の方向に搬送される。識別情報付与部６３２を通過した原稿は、ローラ対６３３を通じて排出トレイ６０２に排出される。
一方、保存期限を経過していない原稿は、ローラ対６３４、６３５、６３６、６３７、６３８を順番に経て、排出トレイ６０３に排出される。
なお、排出トレイ６０３への搬送経路上にも、識別情報付与部６２３とは異なる識別情報を付与する識別情報付与部を配置してもよい。
本実施の形態に係る画像読取装置３０Ａを用いれば、実施の形態１で説明した作用効果を実現することができる。
【００７６】
＜他の実施の形態＞
以上、本発明の実施の形態について説明したが、本発明の技術的範囲は上記実施の形態に記載の範囲には限定されない。上記実施の形態に、種々の変更又は改良を加えたものも、本発明の技術的範囲に含まれることは、特許請求の範囲の記載から明らかである。
【００７７】
例えば前述の実施の形態１〜５においては、画像形成ユニット３００の上部に画像読取ユニット２００が取り付けられる場合について説明したが、画像読取ユニット２００は、画像形成ユニット３００の側面に着脱可能に取り付けられてもよい。
【００７８】
また、前述の実施の形態においては、原稿の画像全体を画像ファイルとして登録し、一致度の高い画像が登録済みであるか否かを照合しているが、原稿の画像の一部分を画像ファイルとして登録し、一致度の高い部分画像が登録済みであるか否かを照合してもよい。
この際、登録する部分画像はユーザインターフェース部１００を通じてユーザが指定できるようにしてもよい。
【符号の説明】
【００７９】
１、１Ａ、１Ｂ…画像形成システム、１Ｃ…画像読取システム、１０、１０Ｃ…画像形成装置、３０、３０Ａ…画像読取装置、１００…ユーザインターフェース部、２００、２００Ａ、２００Ｂ、２００Ｃ、２００Ｄ、２００Ｅ、２００Ｆ…画像読取ユニット、２１０…画像読取部、２２０、２２０Ａ、２２０Ｂ、２２０Ｃ、２２０Ｄ、２２０Ｅ、２２０Ｆ…原稿搬送部、２２１、６０１…供給トレイ、２２２、２２３、２４０、６０２、６０３…排出トレイ、２２７、２３０、６１９、６３１…切替ゲート、２４４、６３２…識別情報付与部、３００…画像形成ユニット、４５１…照合／登録部、４５２…排出先決定部、６１３…画像読取素子
【図１】
2019004218.tif 000003
【図２】
2019004218.tif 000004
【図３】
2019004218.tif 000005
【図４】
2019004218.tif 000006
【図５】
2019004218.tif 000007
【図６】
2019004218.tif 000008
【図７】
2019004218.tif 000009
【図８】
2019004218.tif 000010
【図９】
2019004218.tif 000011
【図１０】
2019004218.tif 000012
【図１１】
2019004218.tif 000013
【図１２】
2019004218.tif 000014
【図１３】
2019004218.tif 000015
【図１４】
2019004218.tif 000016
【図１５】
2019004218.tif 000017
【図１６】
2019004218.tif 000018
【図１７】
2019004218.tif 000019
【図１８】
2019004218.tif 000020
【図１９】
2019004218.tif 000021
【図２０】
2019004218.tif 000022